(57)【要約】【課題】  表示部の特性の影響を抑制し投影面に投影された画像の見栄えを維持することができる電子機器を提供する。  【解決手段】  入力した画像データを表示する表示部４６と、前記表示部の液晶輝度に応じて、前記表示部に入力する前記画像データに対して第１の階調補正を行う画像処理部６８とを備える。【選択図】  図６
2010187211.tif 000002
【特許請求の範囲】
【請求項１】
入力した画像データを表示する表示部と、
前記表示部の液晶輝度に応じて、前記表示部に入力する前記画像データに対して第１の階調補正を行う画像処理部と
を備えることを特徴とする電子機器。
【請求項２】
前記第１の階調補正を、ルックアップテーブルを用いて行うことを特徴とする請求項１記載の電子機器。
【請求項３】
前記画像処理部は、前記表示部に表示された画像を投影するための光を射出する光源の発熱に伴う前記表示部の温度変化に応じて、前記表示部に入力する前記画像データに対して第２の階調補正を行うことを特徴とする請求項１または２記載の電子機器。
【請求項４】
前記表示部に表示された画像を投影するための光を射出する光源の駆動電流を制御する電源制御部を更に備え、
前記画像処理部は、前記光源の駆動電流の変化に応じて、前記表示部に入力する前記画像データに対して第３の階調補正を行うことを特徴とする請求項１〜３の何れか一項に記載の電子機器。
【請求項５】
入力した画像データを表示する表示部と、
前記表示部に表示された画像を投影するための光を射出する光源と、
前記光源の駆動電流を制御する電源制御部と、
前記光源の発熱に伴う前記表示部の温度変化に応じて第２の階調補正、及び前記光源の駆動電流の変化に応じて第３の階調補正を前記表示部に入力する前記画像データに対して行う画像処理部と
を備えることを特徴とする電子機器。
【請求項６】
前記光源の発熱に伴う温度変化を検出する温度測定部を更に備え、
前記電源制御部は、前記温度測定部において測定された温度に基づいて、前記光源の駆動電流を制御することを特徴とする請求項４または５記載の電子機器。
【請求項７】
前記第２の階調補正を、ルックアップテーブルを用いて行うことを特徴とする請求項３〜６の何れか一項に記載の電子機器。
【請求項８】
複数の前記ルックアップテーブルから前記光源の特性に適した前記第１の階調補正に係るルックアップテーブルを選択することを特徴とする請求項２〜７の何れか一項に記載の電子機器。
【請求項９】
前記電子機器は、被写体光を撮像する撮像部を備えたカメラであることを特徴とする請求項１〜８の何れか一項に記載の電子機器。
【発明の詳細な説明】
【技術分野】
【０００１】
本発明は、電子機器に関するものである。
【背景技術】
【０００２】
プロジェクタを備える電子機器が知られている（例えば、特許文献１参照）。この電子機器においては、光源の近傍に設けられた温度センサの測定値が所定の温度を超えた場合にはユーザの選択により光源から射出される光の光量を減少させ温度上昇時の保護措置を実行することができる。
【先行技術文献】
【特許文献】
【０００３】
【特許文献１】特開２００３−１５２２４号公報
【発明の概要】
【発明が解決しようとする課題】
【０００４】
しかし、この電子機器においては、投影する画像を表示する表示部の液晶輝度に依存して色変化が生じる場合があった。
【０００５】
本発明の目的は、表示部の特性の影響を抑制し投影面に投影された画像の見栄えを維持することができる電子機器を提供することである。
【課題を解決するための手段】
【０００６】
本発明の電子機器は、入力した画像データを表示する表示部と、前記表示部の液晶輝度に応じて、前記表示部に入力する前記画像データに対して第１の階調補正を行う画像処理部とを備えることを特徴とする。
【発明の効果】
【０００７】
本発明の電子機器によれば、表示部の特性の影響を抑制し投影面に投影された画像の見栄えを維持することができる。
【図面の簡単な説明】
【０００８】
【図１】本発明の第１の実施の形態に係るカメラの前面を示す斜視図である。
【図２】本発明の第１の実施の形態に係るカメラの背面を示す図である。
【図３】本発明の第１の実施の形態に係るカメラ内部に収納された各ユニットの配置を概略的に示す正面図である。
【図４】本発明の第１の実施の形態に係るカメラの図３におけるＡ−Ａ断面図である。
【図５】本発明の第１の実施の形態に係るプロジェクタユニットの構成を示す図である。
【図６】本発明の第１の実施の形態に係るカメラのシステム構成を示すブロック図である。
【図７】本発明の第１の実施の形態に係るカメラの投影処理を示すフローチャートである。
【図８】本発明の第１の実施の形態に係るカメラの温度制御を示すグラフである。
【図９】本発明の第１の実施の形態に係るカメラの投影時の画像補正処理を示すフローチャートである。
【図１０】本発明の第１の実施の形態に係るＬＵＴ２の適用前後の色温度を示す図である。
【図１１】本発明の第１の実施の形態に係るＬＵＴ２を示す図である。
【図１２】本発明の第１の実施の形態に係るＬＣＯＳの表示の温度依存性を示す図である。
【図１３】本発明の第１の実施の形態に係るＬＥＤの発光効率の温度依存性を示す図である。
【図１４】本発明の第２の実施の形態にかかるカメラの投影時の画像補正処理を示すフローチャートである。
【発明を実施するための形態】
【０００９】
以下、図面を参照して本発明の第１の実施の形態に係る電子機器についてカメラを例に説明する。図１は、実施の形態に係るカメラの前面を示す斜視図である。カメラ２はプロジェクタを備えるデジタルカメラであって、カメラ２の筐体４はアルミニウム板金等の金属からなる前カバー６及び後カバー８で構成され、前カバー６には、被写体光を入射させる撮影窓１０、画像を投影するプロジェクタ投影窓１２、被写体を照射する光を射出するフラッシュ窓１４が設けられている。また、筐体４の上面には、電源スイッチ１６、レリーズ指示を行うレリーズボタン１８、プロジェクタにより投影される画像のピント合わせを行うためのフォーカスレバー２０が設けられている。
【００１０】
図２は、実施の形態に係るカメラの背面を示す図である。後カバー８には、撮像画像を表示するＬＣＤ表示部２２、カメラ撮影を行う撮影モードとプロジェクタ投影を行うプロジェクタモードとを切り換える切換ボタン２４、投影する画像を選択するマルチセレクタ２６、投影の開始を指示する再生ボタン２８、投影の終了を指示する停止ボタン３０が設けられている。
【００１１】
図３は、実施の形態に係るカメラ内部に収納された各ユニットの配置を概略的に示す正面図である。カメラ２の内部の略中央には、投影画像を投影するための後述する投影光学系と光源であるＬＥＤ３２とを有するプロジェクタユニット３４が配置され、ＬＥＤ３２の上部近傍には温度センサ３６が設けられている。また、プロジェクタユニット３４及び温度センサ３６の図３における右側には、被写体を撮像するための撮像素子を有する鏡筒ユニット３８が、プロジェクタユニット３４の左側には、プロジェクタユニット３４及び鏡筒ユニット３８に電力を供給するバッテリを収容する電池室４０が設けられている。
【００１２】
図４は、図３のＡ−Ａ断面図である。図４に示すようにＬＥＤ３２と温度センサ３６は、前カバー６の内面と略密着するように接触して配置されており、温度センサ３６は前カバー６の内面温度を測定し、ＬＥＤ３２の発熱に伴う温度変化を検出する。
【００１３】
図５は、実施の形態に係るプロジェクタユニットの構成を示す図である。プロジェクタユニット３４は光源であるＬＥＤ（発光ダイオード）３２、ＬＥＤ３２から射出された光を略平行とするための集光レンズ４２、入射した光をＰ偏光成分の光とＳ偏光成分の光とに分離する偏光ビームスプリッタ４４、プロジェクタユニット３４により投影する投影画像を表示するＬＣＯＳ（反射型液晶素子）４６、投影画像を投影するための投影レンズ４８及び投影レンズ４８から射出された光学像の投影方向を偏向させるためのミラー５０を備えている。なお、偏光ビームスプリッタ４４の図５における下面４４ａには、黒色処理等の無反射処理が施されている。
【００１４】
図６は、実施の形態に係るカメラのシステム構成を示すブロック図である。カメラ２はＣＰＵ５２を備え、ＣＰＵ５２には、温度センサ３６、操作部５４、ＬＣＤ表示部２２の表示制御を行う表示制御部５６、撮影レンズを介した被写体を撮像して撮像信号（蓄積電荷としてのアナログ信号）を生成するＣＣＤ或いはＣＭＯＳ等により構成される撮像素子５８、撮像素子５８から出力された撮像信号を図示しないＡ／Ｄ変換部においてＡ／Ｄ変換することにより生成された画像データを記憶する画像記憶部６０、撮像素子５８から出力される撮像信号に基づく画像データに、ホワイトバランス調整、輪郭補償、ガンマ補正等の画像処理を行う撮像画像処理部６２、撮像画像や投影画像、種々のデータを記憶するメモリカード６４、画像記憶部６０やメモリカード６４に記憶された画像や種々のデータを投影する投影部６６、投影部６６により投影される投影画像の画像データに対して階調補正を行う投影画像処理部６８、画像データに対する補正量を示すルックアップテーブル（ＬＵＴ）を記憶するＬＵＴ記憶部７０が接続されている。
【００１５】
ここで、操作部５４は、電源スイッチ１６、レリーズボタン１８、フォーカスレバー２０、切換ボタン２４、マルチセレクタ２６、再生ボタン２８、停止ボタン３０等を含み、投影部６６は、光源であるＬＥＤ３２の点灯及び消灯を行う電源制御部７２、投影する画像を表示するＬＣＯＳ４６の表示制御を行う投影制御部７４を備えている。
【００１６】
次に、図７に示すフローチャートを参照して実施の形態に係るカメラの投影部の投影処理について説明する。撮影モードにおいて被写体の撮像またはＬＣＤ表示部２２における撮像画像の再生等の動作中に切換ボタン２４が操作されるとプロジェクタモードに切り換えられる。なお、このとき、撮影モードにおいてＬＣＤ表示部２２を用いた表示を行っている場合にはＬＣＤ表示部２２を消灯する。そして、温度センサ３６により測定した現在の温度を読み込み（ステップＳ１）、読み込んだ現在の温度が投影動作可能な温度である動作上限温度Ｔｍａｘより低いか否か判定する（ステップＳ２）。動作上限温度Ｔｍａｘより低い場合には、ＬＥＤ３２を駆動するための初期駆動電流値Ｉｉｎｔを電源制御部７２により設定する（ステップＳ３）。ここで、初期駆動電流値Ｉｉｎｔは、電流値で設定してもよいし、例えばＬＥＤ３２を駆動可能な最大電流の８０％と設定する等、ＬＥＤ３２を駆動可能な最大電流Ｉｍａｘに対する比率で設定してもよい。そして、電源制御部７２は設定した初期駆動電流値ＩｉｎｔによりＬＥＤ３２を点灯する（ステップＳ４）。
【００１７】
そして、温度制御処理を行う（ステップＳ５）。温度制御処理においては、温度センサ３６により測定した温度が制御目標上限温度Ｔｈを超えた場合に、電源制御部７２は、測定温度が制御目標上限温度Ｔｈよりも低い温度である目標温度Ｔｄへ収束するように電流値の制御を開始する。また、温度制御開始後において温度Ｔが、目標温度Ｔｄよりも低い温度である制御目標下限温度Ｔｌ以下とならないように制御を行う。この温度制御処理により、例えば、目標温度Ｔｄを３５℃とした場合には、図８に示すように駆動電流Ｉを変化させ、温度Ｔが３５℃に収束するように温度制御を行うことができる。なお、目標温度Ｔｄは例えば、筐体４等の装置保持部をユーザが触れた場合に、熱さを感知せず快適に保持できる程度の温度に設定し、制御目標上限温度Ｔｈは目標温度Ｔｄよりやや高い温度に、制御目標下限温度Ｔｌは制御目標よりやや低い温度にそれぞれ設定する。また、図８の右に示す縦軸はＬＥＤ３２の最大駆動電流に対する駆動電流Ｉの割合である。
【００１８】
また、メモリカード６４から読み出した画像データに対して後述する画像補正処理を行い（ステップＳ６）、画像補正処理が施された画像データをＬＣＯＳ４６に表示する（ステップＳ７）。
【００１９】
次に温度センサ３６により測定した現在の温度を読み込み（ステップＳ８）、読み込んだ現在の温度が投影動作可能な温度である動作上限温度Ｔｍａｘより低いか否か判定する（ステップＳ９）。動作上限温度Ｔｍａｘより低い場合には、ＬＥＤ３２が消灯されているか否か確認する（ステップＳ１０）。
【００２０】
ステップＳ１０においてＬＥＤ３２が消灯されていない場合には、ステップＳ５へ戻り温度制御処理及び画像補正処理を継続する。一方、ステップＳ１０において切換ボタン２４による撮影モードへの切り換え指示または停止ボタン３０による投影の終了指示等によりＬＥＤ３２が消灯された場合には投影処理を終了する。そして温度センサ３６による温度検出、投影部６６による投影動作を終了し、ＬＣＤ表示部２２を点灯する。
【００２１】
ステップＳ２において、読み込んだ現在の温度が動作上限温度Ｔｍａｘ以上である場合には、電源制御部７２はＬＥＤ３２を点灯せずに（ステップＳ１１）、投影処理を終了する。
【００２２】
また、ステップＳ９において読み込んだ現在の温度が動作上限温度Ｔｍａｘ以上である場合には、電源制御部７２はＬＥＤ３２を消灯し（ステップＳ１１）、投影処理を終了する。
【００２３】
図９は、図７のステップＳ６の画像補正処理を示すフローチャートである。メモリカード６４から画像データを読み出し（ステップＳ２１）、画像データに対してｓＲＧＢ対応のγ補正の際に用い、また、ＬＥＤ３２に係る光源光量等のシステムに依存する色変化を補正する際に用いるルックアップテーブルであるＬＵＴ１をＬＵＴ記憶部７０から読み出す（ステップＳ２２）。そして、投影画像処理部６８は画像データに対してＬＵＴ１を適用して、階調補正を行う（ステップＳ２３）。
【００２４】
次に、ＬＵＴ記憶部７０からＬＣＯＳ４６の液晶輝度に対応したＬＵＴ２を読み出す（ステップＳ２４）。ここで、画像データに補正を加えない場合には、図１０の「γ補正無し」に示すような色変化が生じる。そのため、グレースケール入力に対して出力時の色温度変化量が小さくなるように補正を行う。例えば、グレースケール入力に対して出力時の色温度が図１０に示す「ＬＵＴ適用後」となるように補正を行う。このとき、ＲＧＢのそれぞれに対し、図１１に示すＬＵＴ２を適用し、補正を行う。なお、図１０においては「ＬＵＴ適用後」の温度範囲が７０００Kから８０００Kとなっているが、この温度範囲以外の温度範囲であっても良い。
【００２５】
次に、温度センサ３６により測定された温度を読み出し、ＬＵＴ２に対して温度に対応するオフセットを行う（ステップＳ２５）。例えば、図１２のＣＩＥｘｙ色度図上に示すグラフおいて、温度の上昇によりＬＣＯＳ４６に表示される画像の色は左下方向へ変化する。即ち、温度が上昇した場合にＬＣＯＳ４６に表示される画像において色変化が生じるため、その影響をキャンセルするようにＬＵＴ２に対してオフセットを行う。オフセット後のＬＵＴをＬＵＴ２’とし、投影画像処理部６８は画像データに対してＬＵＴ２’を適用し補正を行う（ステップＳ２６）。
【００２６】
次に、本実施の形態に係るカメラの温度制御処理によるＬＥＤ３２から射出される光の光量変化及びＬＥＤ３２の発光効率の温度依存性を考慮した階調補正を行う。まず、ＬＥＤ３２の駆動電流Ｉを読み出し、駆動電流Ｉの初期駆動電流ｌｉｎｔに対する比率ｋ＝Ｉ／Ｉｉｎｔを求める（ステップＳ２７）。次に、温度センサ３６により測定された温度を参照し、ＬＥＤ３２の駆動開始時の発光効率に対する現在の発光効率の比率である係数ｓを求める（ステップＳ２８）。ＬＥＤの発光効率特性は温度依存性を有し、図１３のグラフに示す温度範囲（３０〜１５０℃）において温度の一次関数となる。図１３に示す発光効率を示す関数をｇ（Ｔ）とし、ＬＥＤ３２の駆動開始時の温度をＴｉｎｔとすると、ｓ＝ｇ（Ｔ）／ｇ（Ｔｉｎｔ）となる。従って、ＬＥＤ３２の投影光量は駆動開始時の投影光量のｋ×ｓ倍となり、投影画像処理部６８は（Ｒ，Ｇ，Ｂ）である投影画像データに対して（Ｒ’，Ｇ’，Ｂ’）＝｛１／（ｋ×ｓ）｝×（Ｒ，Ｇ，Ｂ）となるように補正処理を行う（ステップＳ２９）。
【００２７】
本実施の形態に係るカメラよれば、ＬＣＯＳの特性の影響を抑制し投影面に投影された画像の見栄えを維持することができる。
【００２８】
また、ＬＥＤの発熱に伴う影響により投影面に投影される画像の見栄えの劣化を抑制することができる。
【００２９】
なお、本実施の形態において、温度制御処理によるＬＥＤ３２から射出される光の光量変化及びＬＥＤ３２の発光効率の温度依存性を考慮した階調補正をゲイン処理により行う構成としたが、投影出力の途中に存在するマトリクス演算、ＬＵＴ演算を行ってもよく、また、例えばレチネックスのようなローカルなコントラストを補正してもよい。
【００３０】
また、本実施の形態においては、筐体保持部等のユーザの手が触れる場所の温度上昇を抑制する構成としたが、カメラ内部に動作上限温度が低い部材が存在する場合には、当該部材の動作上限温度を考慮し温度上昇を抑制する構成としてもよい。
【００３１】
また、本実施の形態において、制限目標温度Ｔｈを超えた場合に制限目標温度Ｔｈよりも低い温度である目標温度Ｔｄに収束するようにＬＥＤ３２の駆動電流を制御する構成としたが、カメラ２のシステム構成、ボディ構成の変更等された場合には、システム構成、ボディ構成に応じて制御目標Ｔｈよりも高い温度である目標温度Ｔｄに収束するように制御する構成としてもよい。
【００３２】
また、本実施の形態に係るカメラにおいて、ＬＵＴ記憶部７０に記憶されるＬＵＴ２はカメラの製造最終工程において標準のＬＵＴ２により画像データの補正を試み、補正された画像の色温度が所定の許容値の範囲内であれば標準のＬＵＴ２とし、このとき所定の許容値を超えた場合には第２のＬＵＴ２により補正を試み、補正された画像の色温度が所定の許容値の範囲内であれば、ＬＵＴ記憶部７０に記憶されるＬＵＴを第２のＬＵＴ２とし、所定の許容値を超えた場合には同様に第３のＬＵＴ２により補正を試み、補正された画像の色温度が所定の許容値の範囲内であれば、ＬＵＴ記憶部７０に記憶されるＬＵＴを第３のＬＵＴ２とし、このとき所定の許容値を超えた場合には不良品として処理するようにしてもよい。
【００３３】
次に、図面を参照して本発明の第２の実施の形態に係るカメラについて説明する。第１の実施の形態に係るカメラは液晶輝度に対応したＬＵＴ２を読み出す構成としたが、本実施の形態に係るカメラは、ＬＵＴ記憶部７０に温度に対応した複数のＬＵＴ２’を記憶させ、温度上昇によるＬＣＯＳに表示される画像の色変化をキャンセルするためのＬＵＴ２’を読み出す構成としている。従って、第１の実施の形態と同一の構成についての詳細な説明は省略し、異なる部分のみについて詳細に説明する。また、第１の実施の形態と同一の構成には同一の符号を付して説明する。
【００３４】
図１４は第２の実施の形態に係るカメラの投影時における画像補正処理を示すフローチャートである。ステップＳ３１〜Ｓ３３は、図９に示すフローチャートのステップＳ２１〜２３とそれぞれ同様であるので説明は省略する。
【００３５】
ＬＵＴ１を適用して補正した後、温度センサ３６により測定された温度を読み出し、温度上昇によるＬＣＯＳ４６に表示される画像の色変化をキャンセルするためにＬＵＴ記憶部７０から温度に対応したＬＵＴ２’を読み出す（ステップＳ３４）。そして、投影画像処理部６８はＬＵＴ２’を適用し画像データの補正を行う（ステップＳ３５）。
【００３６】
ステップＳ３６〜Ｓ３８は図９に示すフローチャートのステップＳ２７〜Ｓ２９とそれぞれ同様であるため説明は省略する。
【符号の説明】
【００３７】
２…カメラ、１０…撮影窓、１２…プロジェクタ投影窓、３２…ＬＥＤ、３４…プロジェクタユニット、３６…温度センサ、４６…ＬＣＯＳ、６６…投影部、６８…投影画像処理部、７０…ＬＵＴ記憶部、７２…電源制御部。
【図１】
2010187211.tif 000003
【図２】
2010187211.tif 000004
【図３】
2010187211.tif 000005
【図４】
2010187211.tif 000006
【図５】
2010187211.tif 000007
【図６】
2010187211.tif 000008
【図７】
2010187211.tif 000009
【図８】
2010187211.tif 000010
【図９】
2010187211.tif 000011
【図１０】
2010187211.tif 000012
【図１１】
2010187211.tif 000013
【図１２】
2010187211.tif 000014
【図１３】
2010187211.tif 000015
【図１４】
2010187211.tif 000016